【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
少なくとも３つの通信装置を含むマルチホップ通信システムであって、前記通信装置の１つはソース装置を構成し、別の通信装置は宛先装置を構成し、他の通信装置各々は中間装置を構成し、前記ソース装置は通信信号を或る通信方向で各中間装置を介して前記宛先装置に向けて送信し、各中間装置は、該通信方向で前の通信装置から通信信号を受信し、前記通信信号を又は該通信信号から導出された信号を該通信方向で後の通信装置に送信し、
当該マルチホップ通信システムは、前記ソース装置及び各中継装置の１以上に割り当てられる送信リソースの指標又は指標の変更を決定するリソース制御手段を更に有し、前記リソース制御手段は、
i)前記宛先装置で受信された前記通信信号の品質の指標及び
ii)各中間装置で受信された前記通信信号の品質の指標
の間のバランスをとることを実質的に達成する又は維持するように動作し、
少なくとも１つの通信装置は、該通信方向で前の通信装置から１以上の制御信号を受ける制御信号処理手段を有し、該制御信号処理手段は、
a)当該マルチホップ通信システムの通信装置により導出された絶対値を表す絶対的な制御信号及び
b)前記絶対値に相対的な、当該マルチホップ通信システムの別の通信装置により導出された値を表す少なくとも１つの相対的な制御信号
を導出し、前記1つの通信装置は、前記絶対的な制御信号及び前記少なくとも１つの相対的な制御信号を該通信方向で後の通信装置に送信する
ことを特徴とするマルチホップ通信システム。
【請求項２】
前記制御信号処理手段により導出される前記絶対的な制御信号は、前記制御信号処理手段を有する通信装置により導出された絶対値を含む
ことを特徴とする付記１記載のマルチホップ通信システム。
【請求項３】
前記リソース制御手段が、
i)当該マルチホップ通信システムの通信装置で導出された絶対値を表す絶対的な制御信号及び
ii)当該マルチホップ通信システムの別の通信装置により導出された値を示す、前記絶対値に対して相対的である、少なくとも１つの相対的な制御信号を受信し、前記絶対的な及び前記相対的な制御信号を使用して、前記ソース装置及び前記中間装置の１より多くに割り当てられる送信リソースの指標又は指標の変更を決定する
ことを特徴とする付記１又は２に記載のマルチホップ通信システム。
【請求項４】
ソース装置として機能する通信装置から、宛先装置として機能する別の通信装置へ、中間装置として機能する少なくとも１つの他の通信装置を介して或る通信方向で通信信号を送信する方法であって、各中間装置は、該通信方向で前の通信装置から通信信号を受信し、前記通信信号を又は該通信信号から導出された信号を該通信方向で後の通信装置に送信し、
当該方法は、前記ソース装置及び各中継装置の１以上に割り当てられる送信リソースの指標又は指標の変更を決定するステップを有し、該ステップは、
i)前記宛先装置で受信された前記通信信号の品質の指標及び
ii)各中間装置で受信された前記通信信号の品質の指標
の間のバランスをとることを実質的に達成する又は維持するようにし、
少なくとも１つの通信装置は、該通信方向で前の通信装置から１以上の制御信号を受信し且つ
a)当該マルチホップ通信システムの通信装置により導出された絶対値を表す絶対的な制御信号及び
b)前記絶対値に相対的な、当該マルチホップ通信システムの別の通信装置により導出された値を表す少なくとも１つの相対的な制御信号
を導出し、前記絶対的な制御信号及び前記少なくとも１つの相対的な制御信号は、該通信方向で後の通信装置に送信される
ことを特徴とする方法。
【請求項５】
マルチホップ通信システムで使用する通信装置であって、送信機及び受信機を有し、ある通信方向で前の通信装置から通信信号を受信し、前記通信信号を又は該通信信号から導出された信号を該通信方向で後の通信装置に送信し、当該通信装置は、ある通信方向で前の通信装置から１以上の制御信号を受信する制御信号処理手段を有し、該制御信号処理手段は、
a)前記マルチホップ通信システムの通信装置により導出された絶対値を表す絶対的な制御信号及び
b)前記絶対値に相対的な、前記マルチホップ通信システムの別の通信装置により導出された値を表す少なくとも１つの相対的な制御信号
を導出し、当該通信装置は、前記絶対的な制御信号及び各相対的な制御信号を該通信方向で後の通信装置に送信する
ことを特徴とする通信装置。
【請求項６】
当該通信装置で受信された通信信号の品質を示すインジケータを導出するインジケータ導出手段を更に有する
ことを特徴とする付記５記載の通信装置。
【請求項７】
前記制御信号処理手段により導出される前記絶対的な制御信号が、当該通信装置により導出された絶対値を含む
ことを特徴とする付記５又は６に記載の通信装置。
【請求項８】
当該通信装置がマルチホップ通信システムの中間装置を構成し、ある通信方向でソース装置として機能する通信装置から宛先装置として機能する別の通信装置に向けて前記中間装置を介して通信信号が送信され、当該通信装置は、
前記ソース装置及び各中継装置の１以上に割り当てられる送信リソースの指標又は指標の変更を決定するリソース制御手段を更に有し、前記リソース制御手段は、
i)前記宛先装置で受信された前記通信信号の品質の指標及び
ii)前記中間装置で受信された前記通信信号の品質の指標
の間のバランスをとることを実質的に達成する又は維持するように動作する
ことを特徴とする付記５乃至７の何れか１項に記載の通信装置。
【請求項９】
マルチホップ通信システムで使用する基地局であって、ある通信方向で宛先装置として機能する通信装置に中間装置として機能する別の通信装置を介して通信信号を送信し、当該基地局は、前記ソース装置及び各中継装置の１以上に割り当てられる送信リソースの指標又は指標の変更を決定するリソース制御手段を有し、前記リソース制御手段は、
i)前記宛先装置で受信された前記通信信号の品質の指標及び
ii)各中間装置で受信された前記通信信号の品質の指標
の間のバランスをとることを実質的に達成する又は維持するように動作し、
当該基地局は、
a)当該マルチホップ通信システムの通信装置により導出された絶対値を表す絶対的な制御信号及び
b)前記絶対値に相対的な、前記マルチホップ通信システムの別の通信装置により導出された値を表す少なくとも１つの相対的な制御信号
を受信し、前記絶対的な及び前記相対的な制御信号を用いて、前記ソース装置及び各中間装置の１以上に割り当てられる送信リソースの指標又は指標の変更を決定する
ことを特徴とする基地局。
【請求項１０】
マルチホップ通信システムで使用する基地局であって、ある通信方向で宛先装置として機能する通信装置から送信された通信信号を中間装置として機能する別の通信装置を介して受信し、当該基地局は、前記ソース装置及び各中継装置の１以上に割り当てられる送信リソースの指標又は指標の変更を決定するリソース制御手段を有し、前記リソース制御手段は、
i)前記宛先装置で受信された前記通信信号の品質の指標及び
ii)各中間装置で受信された前記通信信号の品質の指標
の間のバランスをとることを実質的に達成する又は維持するように動作し、
当該基地局は、
a)当該マルチホップ通信システムの通信装置により導出された絶対値を表す絶対的な制御信号及び
b)前記絶対値に相対的な、前記マルチホップ通信システムの別の通信装置により導出された値を表す少なくとも１つの相対的な制御信号
を受信し、前記絶対的な及び前記相対的な制御信号を用いて、前記ソース装置及び各中間装置の１以上に割り当てられる送信リソースの指標又は指標の変更を決定する
ことを特徴とする基地局。